(57)【要約】【課題】音声通信を行いながらアプリケーションプログラムを実行する場合における操作性を向上させる。【解決手段】通信端末装置は、電話機能部により通話要求を受信したことに応じて第１のスピーカから電話音声を放音させて通話を行わせる第１の受話モードまたは第２のスピーカから電話音声を放音させて通話を行わせる第２の受話モードが選択可能な受話用ＧＵＩ画像を表示部に表示させ、受話用ＧＵＩ画像のうち操作入力受付部における第２の受話モードに相当する部分に対する操作入力を受け付けた場合に第２のスピーカを起動させ、第２のスピーカを起動させた後、近接センサにより物体が無いことが以上検出されたことに応じ、表示部に表示させる画像を、受話用ＧＵＩ画像からアプリケーション実行部によりアプリケーションプログラムを実行させるアプリケーション起動用ＧＵＩ画像に切り換える。【選択図】図２
2016072888.tif 000002
【特許請求の範囲】
【請求項１】
情報を表示する表示部と、
操作を受け付ける操作入力受付部と、
拡声用の第１のスピーカと耳当て用の第２のスピーカとを含む電話機能部と、
前記第２のスピーカに近接する物体を検出する近接センサと、
アプリケーションプログラムを実行するアプリケーション実行部と、
前記電話機能部により通話要求を受信したことに応じて前記第１のスピーカから電話音声を放音させて通話を行わせる第１の受話モードまたは前記第２のスピーカから電話音声を放音させて通話を行わせる第２の受話モードが選択可能な受話用ＧＵＩ画像を前記表示部に表示させ、前記受話用ＧＵＩ画像のうち前記操作入力受付部における前記第２の受話モードに相当する部分に対する操作入力を受け付けた場合に前記第２のスピーカを起動させ、前記第２のスピーカを起動させた後、前記近接センサにより物体が無いことが検出されたことに応じ、前記表示部に表示させる画像を、前記受話用ＧＵＩ画像から前記アプリケーション実行部により前記アプリケーションプログラムを実行させるアプリケーション起動用ＧＵＩ画像に切り換える制御部と、
を有する、通信端末装置。
【請求項２】
前記制御部は、通話相手の通信端末装置との間で情報を共有すること要求する情報共有要求を通信部により受信し、前記近接センサにより物体が無いことが検出されたことに応じ、前記表示部に表示させる画像を、前記受話用ＧＵＩ画像から前記アプリケーション起動用ＧＵＩ画像に切り換える、
請求項１に記載の通信端末装置。
【請求項３】
情報を通信する通信部を有し、
前記制御部は、前記アプリケーション起動用ＧＵＩ画像として、通話相手の通信端末装置との間で情報を共有することを承諾させる承諾画像を含むＧＵＩ画像を前記表示部に表示させる、
請求項２に記載の通信端末装置。
【請求項４】
前記制御部は、前記承諾画像に対して前記通信部による情報の送信を開始する操作を受け付けた場合に、前記アプリケーション実行部により前記表示部に画像を表示させる画像データを前記通信部から送信させる、
請求項３に記載の通信端末装置。
【請求項５】
前記制御部は、前記承諾画像に対する前記通信部による情報の受信の開始を許可する操作を受け付けた場合に、前記アプリケーション実行部により、画像データの受信が許可されたことを示す情報を前記通信部から送信させる、
請求項３に記載の通信端末装置。
【請求項６】
前記制御部は、前記表示部に表示させる画像を前記アプリケーション起動用ＧＵＩ画像に切り換えると共に、前記第２のスピーカにより音を拡声させる、
請求項１から５のうちいずれか１項に記載の通信端末装置。
【請求項７】
拡声用の第１のスピーカと耳当て用の第２のスピーカとを含む電話機能部により通話要求を受信したことに応じて前記第１のスピーカから電話音声を放音させて通話を行わせる第１の受話モードまたは前記第２のスピーカから電話音声を放音させて通話を行わせる第２の受話モードが選択可能な受話用ＧＵＩ画像を表示部に表示させ、
前記受話用ＧＵＩ画像のうち操作入力受付部における前記第２の受話モードに相当する部分に対する操作入力を受け付けた場合に前記第２のスピーカを起動させ、
前記第２のスピーカを起動させた後、前記近接センサにより物体が無いことが所定時間以上検出されたことに応じ、前記表示部に表示させる画像を、前記受話用ＧＵＩ画像から前記アプリケーション実行部により前記アプリケーションプログラムを実行させるアプリケーション起動用ＧＵＩ画像に切り換えさせる、
通信端末装置用プログラム。
【請求項８】
拡声用の第１のスピーカと耳当て用の第２のスピーカとを含む電話機能部により通話要求を受信したことに応じて前記第１のスピーカから電話音声を放音させて通話を行わせる第１の受話モードまたは前記第２のスピーカから電話音声を放音させて通話を行わせる第２の受話モードが選択可能な受話用ＧＵＩ画像を表示部に表示させ、
前記受話用ＧＵＩ画像のうち操作入力受付部における前記第２の受話モードに相当する部分に対する操作入力を受け付けた場合に前記第２のスピーカを起動させ、
前記第２のスピーカを起動させた後、前記近接センサにより物体が無いことが所定時間以上検出されたことに応じ、前記表示部に表示させる画像を、前記受話用ＧＵＩ画像から前記アプリケーション実行部により前記アプリケーションプログラムを実行させるアプリケーション起動用ＧＵＩ画像に切り換えさせる、
通信端末装置の制御方法。
【発明の詳細な説明】
【技術分野】
【０００１】
本発明は、通信端末装置、通信端末装置用プログラム、および通信端末装置の制御方法に関する。
【背景技術】
【０００２】
待受画面から機能画面に切り換えられた表示部の一部に、少なくとも当該通信端末の状態を表示する領域を含み、使用者の操作中に着信を受けると、表示部における操作入力位置を判定し、機能画面を保持した状態で表示部の前記の領域であって操作入力位置とは異なる位置に着信の表示をする通信端末が知られている（例えば、特許文献１参照）。
【先行技術文献】
【特許文献】
【０００３】
【特許文献１】特開２００８−１９３７４０号公報
【発明の概要】
【発明が解決しようとする課題】
【０００４】
通信端末装置は、音声通信をしている最中にアプリケーションプログラムを実行する場合、自装置を耳から離してアプリケーションプログラムを起動する操作をする必要があった。
本発明は、このような事情を考慮してなされたもので、音声通信を行いながらアプリケーションプログラムを実行する場合における操作性を向上させることができる通信端末装置、通信端末装置用プログラム、および通信端末装置の制御方法を提供することを課題とする。
【課題を解決するための手段】
【０００５】
（１）上記の課題を解決するために、本発明の一態様に係る通信端末装置は、情報を表示する表示部と、操作を受け付ける操作入力受付部と、拡声用の第１のスピーカと耳当て用の第２のスピーカとを含む電話機能部と、前記第２のスピーカに近接する物体を検出する近接センサと、アプリケーションプログラムを実行するアプリケーション実行部と、前記電話機能部により通話要求を受信したことに応じて前記第１のスピーカから電話音声を放音させて通話を行わせる第１の受話モードまたは前記第２のスピーカから電話音声を放音させて通話を行わせる第２の受話モードが選択可能な受話用ＧＵＩ画像を前記表示部に表示させ、前記受話用ＧＵＩ画像のうち前記操作入力受付部における前記第２の受話モードに相当する部分に対する操作入力を受け付けた場合に前記第２のスピーカを起動させ、前記第２のスピーカを起動させた後、前記近接センサにより物体が無いことが検出されたことに応じ、前記表示部に表示させる画像を、前記受話用ＧＵＩ画像から前記アプリケーョン実行部により前記アプリケーションプログラムを実行させるアプリケーション起動用ＧＵＩ画像に切り換える制御部と、を有する。
【０００６】
（２）本発明の一態様は、上記した（１）に記載の通信端末装置において、前記制御部により、通話相手の通信端末装置との間で情報を共有すること要求する情報共有要求を通信部により受信し、前記近接センサにより物体が無いことが検出されたことに応じ、前記表示部に表示させる画像を、前記受話用ＧＵＩ画像から前記アプリケーション実行部により前記アプリケーションプログラムを実行させるアプリケーション起動用ＧＵＩ画像に切り換える、構成が用いられてもよい。
【０００７】
（３）本発明の一態様は、上記した（２）に記載の通信端末装置において、情報を通信する通信部を有し、前記制御部は、前記アプリケーション起動用ＧＵＩ画像として、通話相手の通信端末装置との間で情報を共有することを承諾させる承諾画像を含むＧＵＩ画像を前記表示部に表示させる、構成が用いられてもよい。
【０００８】
（４）本発明の一態様は、上記した（３）に記載の通信端末装置において、前記制御部は、前記承諾画像に対して前記通信部による情報の送信を開始する操作を受け付けた場合に、前記アプリケーション実行部により前記表示部に画像を表示させる画像データを前記通信部から送信させる、構成が用いられてもよい。
【０００９】
（５）本発明の一態様は、上記した（３）に記載の通信端末装置において、前記制御部は、前記承諾画像に対する前記通信部による情報の受信の開始を許可する操作を受け付けた場合に、前記アプリケーション実行部により、画像データの受信が許可されたことを示す情報を前記通信部から送信させる、構成が用いられてもよい。
【００１０】
（６）本発明の一態様は、上記した（１）から（５）の何れかに記載の通信端末装置において、前記制御部は、前記表示部に表示させる画像を前記アプリケーション起動用ＧＵＩ画像に切り換えると共に、前記第２のスピーカにより音を拡声させる、構成が用いられてもよい。
【００１１】
（７）上記の課題を解決するために、本発明の一態様に係る通信端末装置用プログラムは、拡声用の第１のスピーカと耳当て用の第２のスピーカとを含む電話機能部により通話要求を受信したことに応じて前記第１のスピーカから電話音声を放音させて通話を行わせる第１の受話モードまたは前記第２のスピーカから電話音声を放音させて通話を行わせる第２の受話モードが選択可能な受話用ＧＵＩ画像を表示部に表示させ、前記受話用ＧＵＩ画像のうち操作入力受付部における前記第２の受話モードに相当する部分に対する操作入力を受け付けた場合に前記第２のスピーカを起動させ、前記第２のスピーカを起動させた後、前記近接センサにより物体が無いことが検出されたことに応じ、前記表示部に表示させる画像を、前記受話用ＧＵＩ画像から前記アプリケーション実行部により前記アプリケーションプログラムを実行させるアプリケーション起動用ＧＵＩ画像に切り換えさせる。
【００１２】
（８）上記の課題を解決するために、本発明の一態様に係る通信端末装置の制御方法は、拡声用の第１のスピーカと耳当て用の第２のスピーカとを含む電話機能部により通話要求を受信したことに応じて前記第１のスピーカから電話音声を放音させて通話を行わせる第１の受話モードまたは前記第２のスピーカから電話音声を放音させて通話を行わせる第２の受話モードが選択可能な受話用ＧＵＩ画像を表示部に表示させ、前記受話用ＧＵＩ画像のうち操作入力受付部における前記第２の受話モードに相当する部分に対する操作入力を受け付けた場合に前記第２のスピーカを起動させ、前記第２のスピーカを起動させた後、前記近接センサにより物体が無いことが所定時間以上検出されたことに応じ、前記表示部に表示させる画像を、前記受話用ＧＵＩ画像から前記アプリケーション実行部により前記アプリケーションプログラムを実行させるアプリケーション起動用ＧＵＩ画像に切り換えさせる。
【発明の効果】
【００１３】
本発明によれば、音声通信を行いながらアプリケーションプログラムを実行する場合における操作性を向上させることができる。
【図面の簡単な説明】
【００１４】
【図１】本発明の一実施形態に係る通信システム１００の構成を示すブロック図である。
【図２】本発明の一実施形態に係る通信システム１００における通信端末装置５０の構成を示すブロック図である。
【図３】ランチャのグラフィカルユーザインターフェース（Ｇｒａｐｈｉｃａｌ  Ｕｓｅｒ  Ｉｎｔｅｒｆａｃｅ：ＧＵＩ）を操作して電話機能部を拡声スピーカ受話モードに設定する際の表示部の表示の例を模式的に示す図である。
【図４】ランチャのＧＵＩを操作して電話機能部を通常受話モードに設定する際の表示部の表示の例を模式的に示す図である。
【図５】一実施形態である通信端末装置の処理手順の例を示すフローチャートである。
【発明を実施するための形態】
【００１５】
以下、実施形態の通信端末装置を、図面を参照して説明する。
【００１６】
以下、本発明を実施するための形態について、図面を参照して詳細に説明する。
図１は、本発明の一実施形態である通信端末装置が適用される通信システムの概略の構成図を示す。図１に示すように、通信システム１００は、通信端末装置５０−１と、通信端末装置５０−２と、ネットワーク５１とを含む。通信端末装置５０−１と、通信端末装置５０−２とは、ネットワーク５１を介して通信可能に接続されている。
以下の説明において、通信端末装置５０−１と通信端末装置５０−２とを区別しない場合は、通信端末装置５０−１，５０−２それぞれを、通信端末装置５０と記載する場合がある。
【００１７】
通信端末装置５０は、無線通信回線を用いた電話（音声通信）およびデータ通信が可能な無線通信端末である。例えば、通信端末装置５０は、スマートフォン、携帯電話機である。通信端末装置５０−１と通信端末装置５０−２とは、例えば、デジタル音声データをパケット化した音声パケットデータを通信する方式によって通話を行うことが可能である。この通信方式を用いることにより、通信端末装置５０は、アプリケーションプログラムを実行してコンテンツデータのストリーミングやダウンロードを行いながらでも、音声通話を行うことができる。
【００１８】
また、通信端末装置５０−１は、通話の相手である通信端末装置５０−２と画面を共有し合うアプリケーションプログラム（情報共有アプリケーション）を実行することができる。同様に、通信端末装置５０−２は、通話の相手である通信端末装置５０−１と情報を共有し合う情報共有アプリケーションを実行することができる。つまり、一方の通信端末装置５０−１が情報共有アプリケーションを起動し、他方の通信端末装置５０−２に情報共有を要求する情報共有要求を送信する。これに対し、他方の通信端末装置５０−２は、情報共有要求を受信したことに応じて情報共有アプリケーションを起動させ、情報共有要求の承諾画像を表示させる。この承諾画像は、通話相手の通信端末装置との間で情報を共有することを承諾する画像を含む。他方の通信端末装置５０−２は、ユーザの操作を受け付けて情報共有要求が承諾されると、通信端末装置５０−１，５０−２それぞれが情報共有アプリケーションを実行して相互認証してセション（情報共有セション）を確立することにより、例えば、通信端末装置５０−１の表示内容を通信端末装置５０−２に送信して通信端末装置５０−２に表示させることができる。これにより、通信端末装置５０−２のユーザは、通信端末装置５０−１のユーザと同じ画像を見ながら、通信端末装置５０−１のユーザと通話を行うことができる。通信端末装置５０−１と通信端末装置５０−２とが相互認証して情報を共有するモードを、情報共有モードと呼ぶ。
なお、情報共有アプリケーションが相互に共有する対象には、表示中の画像、手書き画像、位置情報、およびカメラが撮像した画像などが含まれる。
【００１９】
ネットワーク５１は、通信端末装置５０−１と通信端末装置５０−２との間で通信可能に構築された通信ネットワークである。例えば、ネットワーク５１は、パケット交換網を含む。また、ネットワーク５１は、情報共有モードに設定された通信端末装置５０−１，５０−２が情報共有アプリケーションを実行して表示データの共有を行うための通信セッション（情報共有セッション）を構築するサーバ装置を含む。例えば、通信端末装置５０−１は、相手の通信端末装置５０−２が情報共有アプリケーションを実行可能な装置であるか否かについて、サーバ装置に問い合わせを行って判定することができる。
【００２０】
図２は、通信端末装置５０の機能構成を示すブロック図である。図２に示すように、通信端末装置５０は、電話機能部１５と、表示部２１と、タッチパネル２２（操作入力受付部）と、通信部２３と、近接センサ２４と、報知部２５と、アプリケーション実行部２６と、制御部２７と、ランチャ記憶部２８と、ランチャ実行部２９と、受信部３０と、アプリケーション記憶部３１とを含む。
【００２１】
電話機能部１５は、他の通信端末装置と音声通話を行う機能部である。図２に示すように、電話機能部１５は、拡声スピーカ１６（第１のスピーカ）と、イヤスピーカ１７（第２のスピーカ）と、集音部１８とを備える。
拡声スピーカ１６は、制御部２７によって、電話機能部１５が当該拡声スピーカ１６をオンにする拡声スピーカ受話モード（第１の受話モード）に設定された場合に、通話音やアプリケーション実行部２６がアプリケーションプログラムを実行したことにしたがって発生する音声（メディア音）を出力する拡声用のスピーカである。
【００２２】
イヤスピーカ１７は、制御部２７によって、電話機能部１５が拡声スピーカ１６をオフにして当該イヤスピーカ１７をオンにする通常受話モード（第２の受話モード）に設定された場合に、通話音を出力する耳当て用のスピーカである。
例えば、イヤスピーカ１７の近傍に設けられた近接センサ２４が近接する物体（例えば、耳）を検知することにより、制御部２７は、電話機能部１５を通常受話モードに設定する。また、例えば、電話機能部１５が通常受話モードに設定されている場合に、近接センサ２４が物体（ここでは、耳）を検出しなくなると、制御部２７は、電話機能部１５を拡声スピーカ受話モードに設定する。
【００２３】
集音部１８は、通話時の当該通信端末装置５０の話者の声を集音するマイクロフォンである。電話機能部１５は、集音部１８が集音した音声をデジタルデータ化する。そして、通信部２３は、デジタル音声データをパケットデータ化し、音声パケットデータを相手の通信端末装置５０に送信する。また、相手の通信端末装置５０から送信された音声パケットデータを通信部２３が受信すると、通信部２３は、音声パケットデータからデジタル音声データを抽出し、このデジタル音声データを電話機能部１５に供給する。そして、電話機能部１５は、デジタル音声データを取得し、拡声スピーカ受話モードや通常受話モードにしたがって音声を出力する。
【００２４】
表示部２１は、アプリケーション実行部２６がアプリケーションプログラムを実行することに応じて種々の情報を表示する。また、表示部２１は、受信部３０がデジタル放送（例えば、ワンセグ）を受信することにしたがって、受信番組の情報を表示する。
【００２５】
タッチパネル２２は、例えば、表示部２１の表示面に積層して設けられる多点入力可能な操作入力受付部である。タッチパネル２２は、アプリケーションプログラムに対応して、タップ操作、ダブルタップ操作、ドラッグ操作、フリック操作、ピンチイン／ピンチアウト操作等を受け付ける。また、タッチパネル２２は、後述するランチャに対応して、タップ操作を受け付ける。
【００２６】
例えば、アプリケーション実行部２６がアプリケーションプログラムを実行することに応じて表示部２１に表示させるＧＵＩ画像に対応するタッチパネル２２の部分がタップされることにより、アプリケーション実行部２６は、そのＧＵＩ画像に対応付けられた情報を取得する。
【００２７】
また、ランチャ実行部２９がランチャを実行することに応じて表示部２１に表示させるランチャ画像におけるＧＵＩ画像（例えば、後述するスピーカ受話画像、通常受話画像、スピーカオン画像、スピーカオフ画像）に該当するタッチパネル２２の部分がタップされることにより、ランチャ実行部２９は、そのＧＵＩ画像に対応付けられた情報を取得する。
【００２８】
報知部２５は、電話機能部１５が着呼した場合に、着呼したことを報知する。例えば、報知部２５は、バイブレータ、照明インジケータである。なお、電話機能部１５が拡声スピーカ受話モードに設定されている場合は、電話機能部１５は、拡声スピーカ１６から報知してもよい。
【００２９】
アプリケーション記憶部３１は、アプリケーションプログラムを記憶する。アプリケーアプリケーション記憶部３１に記憶されるションプログラムとしては、情報共有アプリケーションプログラム、または、表示部２１に情報を表示させる各種のアプリケーションプログラムが挙げられる。また、表示部２１に情報を表示させるアプリケーションプログラムとしては、メールデータを送受信、およびメール作成およびメール表示をさせるメールアプリケーションプログラム、カメラ装置の制御および画像処理を実行するカメラアプリケーションプログラム等が含まれる。
アプリケーション実行部２６は、アプリケーション記憶部３１に記憶されたアプリケーションプログラムを読み込み、このアプリケーションプログラムを実行する。
【００３０】
ランチャ記憶部２８は、ランチャおよびアイコン画像を記憶する。ランチャは、アプリケーション実行部２６によりアプリケーションプログラムを実行させながら電話機能部１５により通話を行わせる場合において、拡声スピーカ１６から電話音声を放音させて通話を行わせる拡声スピーカ受話モードか、イヤスピーカ１７から電話音声を放音させて通話を行わせる通常受話モードかを選択させるためのプログラムである。アイコン画像は、相手の通信端末装置との情報共有モードに対応付けられた情報共有メニューの表示に遷移させるためのＧＵＩ画像である。
【００３１】
ランチャ実行部２９は、ランチャ記憶部２８に記憶されたランチャを読み込み、このランチャを実行する。つまり、ランチャ実行部２９は、電話機能部１５が着呼するとランチャ記憶部２８に記憶されたランチャを起動させ、拡声スピーカ受話モードに対応付けられたスピーカ受話画像（第１のＧＵＩ画像）と、通常受話モードに対応付けられた通常受話画像（第２のＧＵＩ画像）と、受話を拒否するための受話拒否画像と、現在リンギング中であることを表すステータス画像とを含むランチャ画像（受話用ＧＵＩ画像）を、表示部２１に表示させる。ランチャ画像の具体例については、後述する。
【００３２】
制御部２７は、ランチャ実行部２９によって表示されたランチャ画像において、タッチパネル２２におけるスピーカ受話画像に相当する部分が操作入力を受け付けた場合、電話機能部１５を拡声スピーカ受話モードに設定し、ランチャ実行部２９に、拡声スピーカ受話モードから通常受話モードに切り換えさせるためのスピーカオフ画像（第３のＧＵＩ画像）と、通話を終了させるための通話終了画像とを含むランチャ画像を、表示部２１に表示させる。つまり、ランチャ画像のスピーカ受話画像がタップされると、制御部２７は、電話機能部１５を拡声スピーカ受話モードに設定し、拡声スピーカ受話モードを中止して通常受話モードに切り換えさせるためのスピーカオフ画像と、通話終了画像とを表示部２１に表示させる。タッチパネル２２におけるスピーカオフ画像に相当する部分が操作入力を受け付けた場合、つまり、スピーカオフ画像がタップされた場合、制御部２７は、電話機能部１５を、拡声スピーカ受話モードから通常受話モードに切り換える。これにより、例えば、ユーザが間違えてスピーカ受話画像をタップしてしまった場合に、スピーカオフ画像をタップし直すことにより、拡声スピーカ受話モードから通常受話モードに切り換えることができる。また、タッチパネル２２における通話終了画像に相当する部分が操作入力を受け付けた場合、つまり、通話終了画像がタップされた場合、制御部２７は、電話機能部１５による通話のセッションを終了させる。
なお、通話終了画像がタップされた場合、制御部２７は、通話相手の通信端末装置５０と共有させていた画像の表示も終了させてもよい。つまり、制御部２７は、情報共有アプリケーションによる情報共有セッションを終了させる。
【００３３】
また、制御部２７は、ランチャ実行部２９によって表示されたランチャ画像において、タッチパネル２２における通常受話画像に相当する部分が操作入力を受け付けた場合、電話機能部１５を通常受話モードに設定し、ステータス画像を通常受話モードを表す画像に変更する。その後、制御部２７は、近接センサ２４により物体が近接していることが所定時間継続して検出された場合、表示部２１の表示を黒画面に遷移させる。この黒画面は、表示部２１のバックライトを消灯させて実現してもよく、ステータス画像を含む表示画像に黒画像を重畳させて表示させて実現してもよい。
【００３４】
また、制御部２７は、近接センサ２４により物体が近接していることが所定時間継続して検出された場合、タッチパネル２２に対する操作を受け付けないよう制御してもよい。制御部２７は、近接センサ２４により物体が近接していることが所定時間継続して検出されたことに応じて、操作を受け付けない制御信号をタッチパネル２２に供給する。タッチパネル２２は、制御信号が供給された後、物体の接触を受け付けても制御部２７へ信号を出力させない。
【００３５】
さらに、制御部２７は、表示部２１の表示を黒画面に遷移させた後、近接センサ２４により物体が無いことが所定時間以上検出されたことに応じ、表示部２１に表示させる画面を、受話用ＧＵＩ画像からアプリケーション実行部２６によりアプリケーションプログラムを実行させるアプリケーション起動用ＧＵＩ画像に切り換える。また、制御部２７は、近接センサ２４により物体が近接していることが所定時間継続して検出されたことに応じて表示部２１のバックライトを消灯させた場合、バックライトを点灯させると共に、アプリケーション起動用ＧＵＩ画像に切り替える。
【００３６】
このとき、制御部２７は、表示部２１の表示画面を黒画面に切り替えた後に、近接センサ２４の検出状態を監視する。近接センサ２４によって物体が無いことが検出されると、制御部２７は、図示しないタイマを起動して経過時間をカウントさせる。制御部２７は、経過時間が所定時間に到達すると、アプリケーション実行部２６にアプリケーションの起動命令を供給する。一方、制御部２７は、経過時間が所定時間に到達する前に近接センサ２４によって物体があることが検出されると、タイマのカウントをリセットする。この所定時間は、ユーザがスピーカ通話により相手のユーザとの間で通話を継続すると共に、表示部２１に情報を表示させる操作意図を判断できる時間である。また、この所定時間は、ユーザが耳当て通話誤って近接センサ２４から耳を離してしまう時間よりも短いである。この所定時間は、は、例えば３秒〜５秒程度に設定される。
【００３７】
また、制御部２７は、通話中において、通話相手の通信端末装置５０から送信された共有要求を受信した場合には、タイマを起動させずにアプリケーション実行部２６に情報共有アプリケーションの起動命令を供給し、要求の承諾画像を表示部２１に表示させてもよい。これにより、制御部２７は、短いタイムラグで情報共有アプリケーションを実行させるための承諾画像を表示部２１に表示させる。
さらに、制御部２７は、通話相手の通信端末装置５０から送信された共有要求に情報共有の種類が含まれている場合、当該情報共有の種類を判定してもよい。制御部２７は、情報共有の種類が情報共有の要求、手書き要求の要求、位置共有の要求、またはカメラ画像共有の要求であるかを判定する。制御部２７は、判定された情報共有の種類に応じ、当該種類の情報共有を承諾するかの判定を促すために、承諾画像を表示部２１に表示させる。
【００３８】
起動命令が供給されるアプリケーションプログラムは、予め設定される。起動命令が供給されるアプリケーションプログラムは、例えばユーザの操作を受け付けて決定されたアプリケーションプログラムであってもよい。また、起動命令が供給されるアプリケーションプログラムは、自装置で設定されたアプリケーションプログラムであってもよい。例えば、通話中に実行可能なアプリケーションプログラムとして設定されたアプリケーションプログラムに起動命令を供給させてもよい。さらに、起動命令が供給されるアプリケーションプログラムは、通話中に起動させるアプリケーションプログラムをユーザに設定させるアプリケーションプログラムであってもよい。この通話中に起動させるアプリケーションプログラムをユーザに設定させるアプリケーションプログラムは、起動命令が供給されたことに応じて複数のアプリケーション名を表示させ、タッチパネル２２のうち起動させるアプリケーション名に対応した位置に対する操作を受け付けた場合に、当該アプリケーション名に対応するアプリケーションプログラムに起動命令を供給する。
【００３９】
起動命令が供給されたアプリケーションプログラムは、アプリケーション記憶部３１から読み出されて、アプリケーション実行部２６により実行される。これにより、アプリケーション実行部２６は、アプリケーションプログラムを実行させるアプリケーション起動用ＧＵＩ画像を示す表示データを表示部２１に供給し、表示部２１によりアプリケーション起動用ＧＵＩ画像を表示させる。
【００４０】
また、制御部２７は、ランチャ実行部２９によって表示されたランチャ画像において、タッチパネル２２における受話拒否画像に相当する部分が操作入力を受け付けた場合、電話機能部１５による受話を中止させてランチャを終了させる。つまり、ランチャ画像の受話拒否画像がタップされると、制御部２７は、電話機能部１５による受話を切断させ、ランチャ画像を消去させる。
【００４１】
なお、制御部２７は、電話機能部１５を拡声スピーカ受話モードに設定した後、所定時間（例えば、２〜３秒間）の経過後にランチャ画像を消去し、情報共有メニューの表示に遷移させるためのアイコン画像を表示部２１に表示させてもよい。ここでのアイコン画像は、現在、電話機能部１５が拡声スピーカ受話モードであることを表す。
これにより、通信端末装置５０のユーザが間違えてスピーカ受話画像をタップしてしまった場合、上記の所定時間の間に表示されるスピーカオフ画像をタップさせることにより、通信端末装置５０は、拡声スピーカ受話モードから通常受話モードに変更することができる。また、所定時間の経過後にランチャ画像が消去されてアイコン画像が表示されるため、ユーザは、アプリケーション画面を観視しながら情報共有モードへの移行のタイミングを待つことができる。
【００４２】
タッチパネル２２におけるアイコン画像に相当する部分が操作入力を受け付けた場合、制御部２７は、情報共有メニューを表示部２１に表示させる。つまり、ランチャ画像において、スピーカ受話画像がタップされた場合は、情報共有メニューの表示に遷移させるためのアイコン画像をタップしない限り、情報共有メニューが表示されない。
アプリケーションプログラムの実行中に着呼した場合において、通常受話画像がタップされるということは、通信端末装置５０のユーザはアプリケーション画面の観視よりも電話受話を優先させたいと考えている可能性が高い。一方、アプリケーションプログラムの実行中に着呼した場合において、スピーカ受話画像がタップされるということは、通信端末装置５０のユーザは、アプリケーション画面をまだ観視していたいと考えている可能性が高い。そこで、上記のごとく、スピーカ受話画像がタップされた場合は、アイコン画像をタップするまでは情報共有メニューを表示させないようにしている。
【００４３】
次に、ランチャ実行部２９が実行するランチャについて具体的に説明する。
図３は、ランチャのＧＵＩを操作して電話機能部１５を拡声スピーカ受話モードに設定する際の表示部２１の表示の例を模式的に示す図である。図３における表示部２１の画面５−１〜５−５それぞれは、アプリケーション実行部２６が、例えば、映像ストリームを再生させるアプリケーションプログラムを実行している様子を表している。
【００４４】
まず、アプリケーション実行部２６によるアプリケーションプログラムの実行中に、電話機能部１５が着呼すると、ランチャ実行部２９は、ランチャ記憶部２８からランチャを起動させてランチャ画像６を表示部２１に表示させる（画面５−１）。画面５−１において、例えば、ランチャ画像６は、アプリケーション画面８よりも手前（上層）且つ画面５−１の上側に表示される。例えば、ランチャ画像６は、発呼側の発信者を示す発信者情報（図３では、“鈴木  ○○”）と、現在リンギング中であることを表すステータス画像７ａと、それぞれＧＵＩ画像である、通常受話画像６ａと、スピーカ受話画像６ｂと、受話拒否画像６ｃとを含む。
【００４５】
なお、ランチャ画像６には、通話相手の通信端末装置５０が情報共有アプリケーションに対応しているか否かの画像が含まれていてもよい。この画像は、発信者情報のフォント、色等が変更されたものであってもよく、発信者情報の近傍に表示される特定のマーク画像であってもよい。ランチャ実行部２９は、電話機能部１５に記憶させた情報共有に対応している通信端末装置５０およびユーザをリスト化した情報共有用アドレス帳を参照して、情報共有アプリケーションに対応しているか否かの画像を表示させる。ランチャ実行部２９は、通信端末装置５０の電話番号に対応させて通常のアドレス帳に記憶された情報共有アプリケーションに対応しているかの情報を参照して、情報共有アプリケーションに対応しているか否かの画像を表示させてもよい。
【００４６】
また、制御部２７は、通話相手の通信端末装置５０が拡声スピーカ受話モードまたは通常受話モードで音声を出力させていることを表示させてもよい。例えば、制御部２７は、通話相手の通信端末装置５０が拡声通話モードで音声を出力させていることをスピーカアイコンとして表示部２１に表示させる。このために、制御部２７は、通話相手の通信端末装置５０に、通常受話モードであるか拡声通話モードであるかを示すステータス情報を送信させる。これにより、制御部２７は、通話相手の通信端末装置５０のステータス情報をスピーカアイコンとして表示部２１に表示させる。これにより、通信端末装置５０は、通話相手の通信端末装置５０が拡声通話モードで通話をしているか否かをユーザに知らせることができるので、受話を受け付けやすくすることができる。さらに、制御部２７は、拡声スピーカ受話モードに設定したことに応じて、通話相手の通信端末装置５０に、自装置が拡声スピーカ受話モードであることを示すステータス情報を送信させてもよい。これにより、通話相手の通信端末装置５０に、スピーカアイコンを表示させることができる。
【００４７】
さらに、ランチャ実行部２９は、ランチャ画像６を表示させると共に、アプリケーションプログラムを継続して実行させるか否かを選択させる選択画像を表示部２１に表示させてもよい。この選択画像には、アプリケーションを継続させる画像、アプリケーションを終了させる画像、およびアプリケーションを一時停止／再開させる画像が含まれる。制御部２７は、選択画像のうちタッチパネル２２がタップを受け付けた画像に基づいてアプリケーションを継続、終了、または一時停止／再開させる。また、制御部２７は、選択画像のうち何れかの画像がタップされたことに応じて選択画像の表示を終了させる。これにより、通信端末装置５０は、通話中のアプリケーションの状態をユーザに選択させることができ、通話相手のユーザに拡声スピーカ１６から出力させたくない音声が出力されることを抑制することができる。
【００４８】
通信端末装置５０のユーザによってスピーカ受話画像６ｂがタップされると、制御部２７は、電話機能部１５を拡声スピーカ受話モードに設定し、ランチャ画像６のステータス画像を、拡声スピーカ受話モードであることを表すステータス画像７ｂに書き換え、ランチャ画像６のＧＵＩ画像を、スピーカオフ画像６ｄと、通話終了画像６ｅとに書き換える（画面５−２）。制御部２７は、タッチパネル２２が何も操作を受け付けない場合、画面５−２のランチャ画像６の状態を所定時間（例えば、３秒間）保つ。なお、この所定時間において、拡声スピーカ１６および集音部１８を用いた通話、およびアプリケーション実行部２６によるアプリケーションプログラムの実行は継続される。
【００４９】
上記の所定時間が経過すると、制御部２７は、ランチャ画像６を消去し、情報共有メニューの表示に遷移させるためのアイコン画像１１ａを表示部２１に表示させる（画面５−３）。すなわち、画面５−３において、アプリケーション画面８の手前（上層）には、アイコン画像１１ａのみが表示されるため、ユーザは、相手とスピーカ通話を行いながら、アプリケーション画面８を観視し、情報共有モードへの移行のタイミングを待つことができる。
【００５０】
アイコン画像１１ａがタップされると、ランチャ実行部２９は、ランチャ画像６を表示部２１に表示させる。そして、制御部２７は、情報共有メニュー１を表示部２１に表示させる（画面５−４）。画面５−４のランチャ画像６は、画面５−２のランチャ画像６と同様である。
また、画面５−４において、例えば、情報共有メニュー１は、アプリケーション画面８よりも手前（上層）且つ画面５−４の下側に表示される。情報共有メニュー１は、それぞれＧＵＩ画像である、第１の情報共有機能ボタン２ａと、第２の情報共有機能ボタン２ｂと、第３の情報共有機能ボタン２ｃと、第４の情報共有機能ボタン２ｄと、それぞれ調整ＧＵＩ画像（例えば、スライドバー）である、メディア音量調整バー３と、通話音量調整バー４と、情報共有メニュー１を終了させるための終了ボタン９とを含む。情報共有メニュー１は、情報共有アプリケーションを実行させるアプリケーション起動用ＧＵＩ画像である。情報共有機能ボタン２ａ〜２ｄは、通話相手の通信端末装置５０との間で情報を共有することを承諾させる承諾画像である。
なお、情報共有機能ボタン２ａ〜２ｄは、４つを示しているが、情報共有アプリケーションにおいて共有される情報の種類が５以上有る場合には、情報共有機能ボタンは５以上であってもよい。また、情報共有機能ボタンは、タッチパネル２２に対するドラッグ操作またはフリック操作に応じて情報共有メニュー１における幅方向にスクロール可能なように表示されてもよい。
【００５１】
情報共有メニュー１において、タッチパネル２２におけるメディア音量調整バー３のボタン（つまみ）に相当する部分が操作入力を受け付けた場合、つまり、つまみが操作された場合、制御部２７は、アプリケーション実行部２６が実行するアプリケーションプログラムのメディア音の音量を調整する。また、情報共有メニュー１において、タッチパネル２２における通話音量調整バー４のボタン（つまみ）に相当する部分が操作入力を受け付けた場合、つまり、つまみが操作された場合、制御部２７は、電話機能部１５による通話の音量を調整する。
【００５２】
なお、制御部２７は、メディア音および通話音の音量調整を、一つの調整ＧＵＩ画像により行ってもよい。つまり、メディア音量および通話音量を相対的に調整してもよい。また制御部２７は、実行中のアプリケーションプログラムの種類に基づいてメディア音量調整バー３および通話音量調整バー４の双方を表示させるか、メディア音量調整バー３または通話音量調整バー４の一方を表示させるかを切り替えてもよい。制御部２７は、情報共有メニュー１を表示部２１に表示させる前に、アプリケーション実行部２６により実行させているアプリケーションプログラムの種類を判定する。制御部２７は、判定されたアプリケーションプログラムの種類に基づいてメディア音量調整バー３および通話音量調整バー４の表示または非表示を判定し、判定された結果に基づいて情報共有メニュー１を加工する。
例えば、実行中のアプリケーションプログラムが動画像を再生するものである場合、制御部２７は、情報共有メニュー１にメディア音量調整バー３および通話音量調整バー４を含めて表示部２１に表示させる。また、実行中のアプリケーションプログラムが静止画像を表示させるものである場合、制御部２７は、情報共有メニュー１からメディア音量調整バー３を削除して、通話音量調整バー４を含む情報共有メニュー１を表示部２１に表示させる。
【００５３】
さらに、通話中にアプリケーションプログラムが切り替えられた場合、制御部２７は、切り替えられたアプリケーションプログラムの種類に基づいて情報共有メニュー１を加工してもよい。例えば、静止画像を表示させるアプリケーションプログラムから動画像を表示させるアプリケーションプログラムに切り替えられた場合、制御部２７は、情報共有メニュー１にメディア音量調整バー３を追加して表示部２１に表示させる。
さらに、制御部２７は、情報共有アプリケーションが実行されている場合において、情報共有アプリケーションにより通話相手の通信端末装置５０と共有されている画像の種類を判定してもよい。制御部２７は、通話相手の通信端末装置５０と共有されている画像が動画像である場合、情報共有メニュー１にメディア音量調整バー３および通話音量調整バー４を含めて表示部２１に表示させる。また、通話相手の通信端末装置５０と共有されている画像が動画像である場合、情報共有メニュー１からメディア音量調整バー３を削除して、通話音量調整バー４を含む情報共有メニュー１を表示部２１に表示させる。
さらに、共有される情報の種類が切り替えられた場合、制御部２７は、切り替えられた情報の種類に基づいて情報共有メニュー１を加工してもよい。例えば、共有される情報が静止画像から動画像を表示させるアプリケーションプログラムに切り替えられた場合、制御部２７は、情報共有メニュー１にメディア音量調整バー３を追加して表示部２１に表示させる。
【００５４】
例えば、情報共有メニュー１の第１の情報共有機能ボタン２ａがタップされると、制御部２７は、第１の情報共有機能ボタン２ａに対応付けられた情報共有アプリケーションの実行を開始させ、相手の通信端末装置との相互認証後、画面を共有していることを表すアイコン画像１１ｂをアプリケーション画面８の手前（上層）に表示させる（画面５−５）。なお、制御部２７は、現在、情報共有を行っていることを示すため、画面５−５に枠（特定色の枠）を表示させてもよい。
【００５５】
図４は、ランチャのＧＵＩを操作して電話機能部１５を通常受話モードに設定する際の表示部２１の表示の例を模式的に示す図である。図４における表示部２１の画面１０−１〜１０−３それぞれは、アプリケーション実行部２６が、映像ストリームを再生させるアプリケーションプログラムを実行している様子を表している。
【００５６】
まず、アプリケーション実行部２６によるアプリケーションプログラムの実行中に、電話機能部１５が着呼すると、ランチャ実行部２９は、ランチャ記憶部２８からランチャを起動させてランチャ画像６を表示部２１に表示させる（画面１０−１）。画面１０−１において、例えば、ランチャ画像６は、アプリケーション画面８よりも手前（上層）且つ画面１０−１の上側に表示される。例えば、ランチャ画像６は、発呼側の発信者を示す発信者情報（図４では、“鈴木  ○○”）と、現在リンギング中であることを表すステータス画像７ａと、それぞれＧＵＩ画像である、通常受話画像６ａと、スピーカ受話画像６ｂと、受話拒否画像６ｃとを含む。
【００５７】
なお、ランチャ画像６には、通話相手の通信端末装置５０が情報共有アプリケーションに対応しているか否かの画像が含まれていてもよい。この画像は、発信者情報のフォント、色等が変更されたものであってもよく、発信者情報の近傍に表示される特定のマーク画像であってもよい。ランチャ実行部２９は、電話機能部１５に記憶させた情報共有に対応している通信端末装置５０およびユーザをリスト化した情報共有用アドレス帳を参照して、情報共有アプリケーションに対応しているか否かの画像を表示させる。ランチャ実行部２９は、通信端末装置５０の電話番号に対応させて通常のアドレス帳に記憶された情報共有アプリケーションに対応しているかの情報を参照して、情報共有アプリケーションに対応しているか否かの画像を表示させてもよい。
【００５８】
また、制御部２７は、通話相手の通信端末装置５０が拡声スピーカ受話モードまたは通常受話モードで音声を出力させていることを表示させてもよい。例えば、制御部２７は、通話相手の通信端末装置５０が拡声通話モードで音声を出力させていることをスピーカアイコンとして表示部２１に表示させる。このために、制御部２７は、通話相手の通信端末装置５０に、通常受話モードであるか拡声通話モードであるかを示すステータス情報を送信させる。これにより、制御部２７は、通話相手の通信端末装置５０のステータス情報をスピーカアイコンとして表示部２１に表示させる。これにより、通信端末装置５０は、通話相手の通信端末装置５０が拡声通話モードで通話をしているか否かをユーザに知らせることができるので、受話を受け付けやすくすることができる。さらに、制御部２７は、拡声スピーカ受話モードに設定したことに応じて、通話相手の通信端末装置５０に、自装置が拡声スピーカ受話モードであることを示すステータス情報を送信させてもよい。これにより、通話相手の通信端末装置５０に、スピーカアイコンを表示させることができる。
【００５９】
さらに、ランチャ実行部２９は、ランチャ画像６を表示させると共に、アプリケーションプログラムを継続して実行させるか否かを選択させる選択画像を表示部２１に表示させてもよい。この選択画像には、アプリケーションを継続させる画像、アプリケーションを終了させる画像、およびアプリケーションを一時停止／再開させる画像が含まれる。制御部２７は、選択画像のうちタッチパネル２２がタップを受け付けた画像に基づいてアプリケーションを継続、終了、または一時停止／再開させる。また、制御部２７は、選択画像のうち何れかの画像がタップされたことに応じて選択画像の表示を終了させる。これにより、通信端末装置５０は、通話中のアプリケーションの状態をユーザに選択させることができ、通話相手のユーザに拡声スピーカ１６から出力させたくない音声が出力されることを抑制することができる。
【００６０】
通信端末装置５０のユーザによって通常受話画像６ａがタップされると、制御部２７は、電話機能部１５を通常受話モードに設定し、ランチャ画像６のステータス画像を、通常受話モードであることを表すステータス画像７ｃに書き換え、ランチャ画像６のＧＵＩ画像を、スピーカオン画像６ｆと、通話終了画像６ｅとに書き換える。
【００６１】
その後、近接センサ２４により物体が近接していることが所定時間継続して検出された場合、制御部２７は、表示部２１の表示を黒画面１２に遷移させる（画面１０−３）。この黒画面１２は、表示部２１のバックライトを消灯させて実現してもよく、ステータス画像を含む表示画像に黒色のレイヤ画像を重畳させて表示させて実現してもよい。
【００６２】
その後、表示部２１の表示を黒画面１２に遷移させた後、近接センサ２４により物体が無いことが所定時間以上検出されたことに応じ、制御部２７は、表示部２１に表示させる画面を、受話用ＧＵＩ画像からアプリケーション実行部２６によりアプリケーションプログラムを実行させるアプリケーション起動用ＧＵＩ画像１３に切り換える（画面１０−４）。アプリケーション起動用ＧＵＩ画像１３には、情報共有アプリケーションを実行させる情報共有メニュー１が含まれる。
情報共有メニュー１は、制御部２７から起動命令が供給された情報共有アプリケーションプログラムが表示部２１に表示させたアプリケーション起動用画像である。
【００６３】
例えば、情報共有メニュー１の第１の情報共有機能ボタン２ａがタップされると、制御部２７により、通信部２３による情報の送信の開始を許可する操作を受け付ける。制御部２７は、第１の情報共有機能ボタン２ａに対応付けられた情報共有アプリケーションの実行を開始し、相手の通信端末装置５０との相互認証後、アプリケーション実行部２６により表示部２１に画像を表示させる画像データを通信部２３から送信させる。この結果、通信端末装置５０は、相手の通信端末装置５０に表示部２１に、自装置に表示させている画像を表示させる。
【００６４】
さらに、制御部２７は、情報共有メニュー１の第２の情報共有機能ボタン２ｂがタップされると、通信部２３による情報の受信の開始を許可する操作を受け付ける。制御部２７は、第２の情報共有機能ボタン２ｂに対応づけられた情報共有アプリケーションの実行を開始し、相手の通信端末装置５０との相互認証後、相手の通信端末装置５０から自装置に画像データの送信を許可する情報、または相手の通信端末装置５０から自装置に画像データの送信を要求する情報を通信部２３に送信させる。その後、通信部２３は、相手の通信端末装置５０から、相手の通信端末装置５０の表示部に画像を表示させる画像データが送信される。制御部２７は、通信部２３により受信された画像データにより表示部２１に画像を表示させ、その結果、相手の通信端末装置５０の表示部に表示された画像を自装置で表示させる。
【００６５】
また、制御部２７は、画面を共有していることを示すアイコン画像１１ｂをアプリケーション画面８の手前（上層）に表示させる。この画像は、図３における画面５−５と同じである。なお、制御部２７は、現在、情報共有を行っていることを示すため、画面１０−３に枠（特定色の枠）を表示させてもよい。
【００６６】
なお、上述した説明は、タッチパネル２２のうち第１の情報共有機能ボタン２ａに相当する部分の操作を受け付けた場合に表示部２１に表示させている画像の画像データを相手の通信端末装置５０に送信させ、タッチパネル２２のうち第２の情報共有機能ボタン２ｂに相当する部分の操作を受け付けた場合に相手の通信端末装置５０から画像データの送信を許可する情報、または相手の通信端末装置５０から自装置に画像データの送信を要求する情報を相手の通信端末装置５０に送信させているが、これには限られない。
通信端末装置５０それぞれにおける情報共有アプリケーションの機能は、例えば、表示中の画像を共有する機能、手書き画像を共有する機能、位置情報を共有する機能、及び、カメラが撮像した画像を共有する機能であってもよい。
【００６７】
これらの情報を共有する機能は、実行中のアプリケーションプログラムの種類に基づいて選択的に第１の情報共有機能ボタン２ａ、第２の情報共有機能ボタン２ｂ、第３の情報共有機能ボタン２ｃ、または第４の情報共有機能ボタン２ｄに割り当てられてもよい。すなわち、制御部２７は、情報を共有する機能のうち、情報共有機能ボタン２ａ〜２ｄに表示または非表示にする機能を切り替えてもよい。例えば、実行中のアプリケーションプログラムが動画像または静止画を表示させるアプリケーションプログラムである場合、表示中の画像を共有する機能、手書き画像を共有する機能を表示させ、位置情報を共有する機能、及び、カメラが撮像した画像を共有する機能を非表示にさせる。また、実行中のアプリケーションプログラムがカメラアプリケーションプログラムである場合、手書き画像を共有する機能、カメラが撮像した画像を共有する機能を表示させ、他の機能を非表示にさせる。これにより、情報共有アプリケーションにおいて利用可能な機能をユーザに知らせることができ、情報共有アプリケーションの利用を促すことができる。
【００６８】
さらに、制御部２７は、情報共有アプリケーションにおける複数の機能のうち、利用頻度が高い機能を、情報共有機能ボタン２ａ〜２ｄのうち第１の情報共有機能ボタン２ａ（左端）から第２の情報共有機能ボタン２ｂ、第３の情報共有機能ボタン２ｃ、第４の情報共有機能ボタン２ｄ（右端）の順に表示させてもよい。このとき、制御部２７は、情報共有アプリケーションの利用履歴を参照して情報共有アプリケーションにおける機能の利用頻度を判定し、利用頻度が高いほど左側となるように情報共有アプリケーションにおける機能の表示順序を決定する。
さらに、制御部２７は、情報共有アプリケーションにおける機能が５以上ある場合には、情報共有機能ボタン２ａ〜２ｄがスクロールされたことに応じて、表示順序が５番目以降の機能を表示させてもよい。
【００６９】
次に、通信端末装置５０の動作について説明する。
図５は、通信端末装置５０の処理手順の例を示すフローチャートである。ただし、本フローチャートは、電話機能部１５が着呼してから制御部２７が、情報共有メニュー１を含むアプリケーション起動用ＧＵＩ画像１３を表示部２１に表示させるまでの処理を表す。
【００７０】
電話機能部１５は、着呼するまで待機している（ステップＳ１０：ＮＯ）。電話機能部１５が着呼すると（ステップＳ１０：ＹＥＳ）、ステップＳ１２において、ランチャ実行部２９は、ランチャ記憶部２８に記憶されたランチャを読み込み、このランチャの実行を開始する。ランチャの実行により表示部２１に表示されるランチャ画像６には、通常受話画像６ａと、スピーカ受話画像６ｂと、受話拒否画像６ｃと、現在リンギング中であることを表すステータス画像７ａとが含まれる。
【００７１】
制御部２７は、タッチパネル２２がタップされるまで待機する（ステップＳ１４：ＮＯ）。タッチパネル２２がタップされると（ステップＳ１４：ＹＥＳ）、ステップＳ１４において、制御部２７は、スピーカ受話画像６ｂがタップされたか否かを判定する。制御部２７は、スピーカ受話画像６ｂがタップされたと判定した場合（ステップＳ１６：ＹＥＳ）はステップＳ２２の処理に進め、それ以外（ステップＳ１６：ＮＯ）はステップＳ１８の処理に進める。
【００７２】
ステップＳ１８において、制御部２７は、通常受話画像６ａがタップされたか否かを判定する。制御部２７は、通常受話画像６ａがタップされたと判定した場合（ステップＳ１８：ＹＥＳ）はステップＳ２４の処理に進め、それ以外（ステップＳ１８：ＮＯ）はステップＳ２０の処理に進める。
【００７３】
ステップＳ２０において、制御部２７は、受話拒否画像６ｃがタップされたか否かを判定する。制御部２７は、受話拒否画像６ｃがタップされたと判定した場合（ステップＳ２０：ＹＥＳ）はステップＳ３４の処理に進め、それ以外（ステップＳ２０：ＮＯ）はステップＳ１４の処理に戻る。
【００７４】
ステップＳ１６：ＹＥＳの後、ステップＳ２２において、制御部２７は、電話機能部１５を拡声スピーカ受話モードに設定し、ランチャ画像６のステータス画像７ａを、拡声スピーカ受話モードであることを表すステータス画像７ｂに書き換え、ランチャ画像６のＧＵＩ画像をスピーカオフ画像６ｄと、通話終了画像６ｅとに書き換える。同時に、制御部２７は、拡声スピーカ１６を起動して、通信部２３により受信した音声データに基づいて拡声スピーカ１６を駆動させて、拡声スピーカ１６から音声を出力させる。
【００７５】
その後、制御部２７は、アプリケーション画面８にアイコン画像１１ａを重畳させて表示させ、アイコン画像１１ａがタップされるまで待機する（ステップＳ３６）。アイコン画像１１ａがタップされると、制御部２７は、ステップＳ３０に処理を進める。
ステップＳ３０において、制御部２７は、アプリケーション実行部２６に起動命令を供給し、情報共有アプリケーションプログラムを起動させ、アプリケーション実行部２６によって情報共有メニュー１を表示させる（ステップＳ３２）。情報共有メニュー１は、上述したアプリケーション起動用ＧＵＩ画像１３に相当する。
【００７６】
ステップＳ１８：ＹＥＳの後、ステップＳ２４おいて、制御部２７は、電話機能部１５を通常受話モードに設定し、ランチャ画像６のステータス画像７ａを、通常受話モードであることを表すステータス画像７ｃに書き換え、ランチャ画像６のＧＵＩ画像を、スピーカオン画像６ｆと、通話終了画像６ｅとに書き換える。同時に、制御部２７は、イヤスピーカ１７を起動して、通信部２３により受信した音声データに基づいてイヤスピーカ１７を駆動させて、イヤスピーカ１７から音声を出力させる。その後、制御部２７は、表示部２１を黒画面に遷移させる。
【００７７】
次に、制御部２７は、近接センサ２４から物体が離間するまで待機する（ステップＳ２６）。近接センサ２４から物体が離間したことを検出すると（ステップＳ２６：ＹＥＳ）、制御部２７は、タイマによるカウントを開始させる。制御部２７は、経過時間が所定時間を経過したか否かを監視する（ステップＳ２８）。経過時間が所定時間に到達すると（ステップＳ２８：ＹＥＳ）、制御部２７は、アプリケーション実行部２６に起動命令を出力して情報共有アプリケーションプログラムを起動させる（ステップＳ３０）。情報共有アプリケーションプログラム起動されたことにより、アプリケーション実行部２６は、アプリケーション起動用ＧＵＩ画像１３を表示させる（ステップＳ３２）。
【００７８】
なお、制御部２７は、近接センサ２４から物体が離間したことを検出したときに（ステップＳ２６：ＹＥＳ）、通話相手の通信端末装置５０から送信された共有要求を受信していた場合には、ステップＳ２８の処理を行わずに、ステップＳ３０に移行してもよい。これにより、制御部２７は、短いタイムラグでアプリケーション起動用ＧＵＩ画像１３を表示させる。
【００７９】
また、制御部２７は、アプリケーション起動用ＧＵＩ画像１３を表示させると略同時に、イヤスピーカ１７を停止させ、拡声スピーカ１６を起動させる。このとき、制御部２７は、通信部２３により受信した音声データの出力先をイヤスピーカ１７から拡声スピーカ１６に切り替える。これにより、制御部２７は、イヤスピーカ１７に代えて拡声スピーカ１６から音声を出力させる。さらに、制御部２７は、近接センサ２４による物体の検出も停止させる。これにより、制御部２７は、通信端末装置５０を把持する手やタッチパネル２２に対する操作を検出する誤検出を回避する。
【００８０】
以上説明した実施形態の通信端末装置５０によれば、情報を表示する表示部２１と、操作を受け付ける操作入力受付部（タッチパネル２２）と、拡声用の第１のスピーカ（拡声スピーカ１６）と耳当て用の第２のスピーカ（イヤスピーカ１７）とを含む電話機能部１５と、イヤスピーカ１７に近接する物体を検出する近接センサ２４と、アプリケーションプログラムを実行するアプリケーション実行部２６と、電話機能部１５により通話要求を受信したことに応じて拡声スピーカ１６から電話音声を放音させて通話を行わせる第１の受話モードまたはイヤスピーカ１７から電話音声を放音させて通話を行わせる第２の受話モードが選択可能な受話用ＧＵＩ画像（ランチャ画像６）を表示部２１に表示させ、ランチャ画像６のうちタッチパネル２２における第２の受話モードに相当する部分に対する操作入力を受け付けた場合にイヤスピーカ１７を起動させ、イヤスピーカ１７を起動させた後、近接センサ２４により物体が無いことが以上検出されたことに応じ、表示部２１に表示させる画面を、ランチャ画像６からアプリケーション実行部２６によりアプリケーションプログラムを実行させるアプリケーション起動用ＧＵＩ画像１３に切り換える制御部２７と、を有する。
【００８１】
この実施形態の通信端末装置５０によれば、近接センサ２４から例えば耳を離してタッチパネル２２に対して操作を実施させなくても、耳を離して例えば所定期間後にアプリケーション起動用ＧＵＩ画像１３を表示させることができる。したがって、実施形態の通信端末装置５０によれば、近接センサ２４から耳を離せば自動的にアプリケーションプログラムを起動させることができ、音声通信を行いながらアプリケーションプログラムを実行する場合における操作性を向上させることができる。
【００８２】
さらに、実施形態の通信端末装置５０によれば、通話相手の通信端末装置５０から情報共有要求を受信し、近接センサ２４により物体が無いことが検出されたことに応じ、表示部２１に表示させる画面を、アプリケーション起動用ＧＵＩ画像１３に切り換えるので、情報共有をするための操作性を向上させることができる。
【００８３】
さらに、実施形態の通信端末装置５０によれば、情報を通信する通信部２３を有し、制御部２７により、ランチャ画像６と異なる画面として、通信部２３により情報の送信または受信の開始を許可または拒否する操作を受け付ける情報共有メニュー１を表示部２１に表示させる。これにより、実施形態の通信端末装置５０によれば、近接センサ２４から耳を離したことを、表示部２１の画面に表示させている画像を相手の通信端末装置５０との間で共有するトリガとして制御部２７、および通信部２３を動作させることができる。その結果、実施形態の通信端末装置５０によれば、情報共有をさせるための操作性を向上させることができる。
【００８４】
さらに、実施形態の通信端末装置５０によれば、制御部２７により、通信部２３による情報の送信の開始を許可する操作を受け付けた場合に、すなわち、情報共有メニュー１における第１の情報共有機能ボタン２ａに対する操作を受け付けた場合、アプリケーション実行部２６により表示部２１に画像を表示させる画像データを通信部２３から送信させる。これにより、実施形態の通信端末装置５０によれば、表示部２１に情報共有メニュー１を表示させた後、１回の操作で自装置の表示部２１に表示させている画像を相手の通信端末装置５０に送信させることができ、相手の通信端末装置５０に自装置の画面を表示させる操作の操作性を向上させることができる。
【００８５】
さらに、実施形態の通信端末装置５０によれば、制御部２７により、通信部２３による情報の受信の開始を許可する操作を受け付けた場合に、すなわち、情報共有メニュー１における第２の情報共有機能ボタン２ｂに対する操作を受け付けた場合、アプリケーション実行部２６により、画像データの受信が許可されたことを示す情報を通信部２３から送信させる。これにより、実施形態の通信端末装置５０によれば、相手の通信端末装置５０から画像データが送信され、送信された画像データに基づいて表示部２１に画像を表示させることができる。その後、実施形態の通信端末装置５０によれば、相手の通信端末装置５０の表示部に表示させている画像を自装置の表示部２１に表示させることができる。この結果、実施形態の通信端末装置５０によれば、表示部２１に情報共有メニュー１を表示させた後、１回の操作で相手の通信端末装置５０の表示部に表示させている画像を自装置の表示部２１に表示させることができ、自装置の表示部２１に相手の通信端末装置５０の画面を表示させる操作の操作性を向上させることができる。
【００８６】
さらに、実施形態の通信端末装置５０によれば、制御部２７により、表示部２１に表示させる画面をアプリケーション実行部２６によりアプリケーションプログラムを実行させる画面に切り換えると共に、拡声スピーカ１６により音を拡声させるので、近接センサ２４から耳を離すだけで、アプリケーション起動用ＧＵＩ画像１３を操作可能な状態にすると共に、拡声スピーカ１６から電話音声を放音させて通話を行わせる第１の受話モードに切り替えることができ、アプリケーションプログラムに関する操作を妨げることなく音声通信を継続でき、通話を行いながらアプリケーションプログラムを実行する場合における操作性を向上させることができる。
【００８７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００８８】
また、上述した端末装置１０の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００８９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００９０】
１…情報共有メニュー、２ａ〜２ｄ…情報共有機能ボタン、６…ランチャ画像、８…アプリケーション画面、１３…アプリケーション起動用ＧＵＩ画像、１５…電話機能部、１６…拡声スピーカ、１７…イヤスピーカ、２１…表示部、２２…タッチパネル、２３…通信部、２４…近接センサ、２６…アプリケーション実行部、２７…制御部、２８…ランチャ記憶部、２９…ランチャ実行部、３０…受信部、３１…アプリケーション記憶部、５０、５０−１、５０−２…通信端末装置、１００…通信システム
【図１】
2016072888.tif 000003
【図２】
2016072888.tif 000004
【図３】
2016072888.tif 000005
【図４】
2016072888.tif 000006
【図５】
2016072888.tif 000007